(57)【特許請求の範囲】
【請求項１】
暗渠排水管に接続される横管とこの横管から上方向に立ち上げられる縦管とを連通させてなるＴ字管と、
前記縦管内に収納される大きさの略円筒状に形成されているとともに、軸線方向に沿って異なる高さ位置に複数の排水孔が形成されており、その下端部に前記横管内の排水を遮断する弁体が設けられているとともにその上部に前記弁体を開閉操作する開閉操作部が設けられている止水筒と、
前記縦管内に収納されて前記止水筒の外周面に沿って上下にスライド可能に形成されているとともに、上部に設けられたスライド操作部を操作することにより前記止水筒に対するスライド位置に応じて異なる高さ位置の前記排水孔を開放する水位調整スライド体とを備えており、
前記Ｔ字管の前記縦管には、前記止水筒の前記開閉操作部および前記水位調整スライド体の前記スライド操作部がすべて収納されているとともに、前記縦管の上部には、前記開閉操作部および前記スライド操作部を操作するために開口可能な開閉蓋が設けられているとともに、
前記Ｔ字管の横管内には、略円筒状に形成された弁座が嵌入されているとともに、前記止水筒の前記弁体が前記弁座の端面に沿って上下方向にスライド可能に設けられており、
前記止水筒は、前記開閉操作部の操作により最上位置まで上昇された場合、前記弁体の下端部が前記弁座の上端部から外れないように構成されている、収納式水位調整型水閘。
【請求項２】
暗渠排水管に接続される横管とこの横管から上方向に立ち上げられる縦管とを連通させてなるＴ字管と、
前記縦管内に収納される大きさの略円筒状に形成されているとともに、軸線方向に沿って異なる高さ位置に複数の排水孔が形成されており、その下端部に前記横管内の排水を遮断する弁体が設けられているとともにその上部に前記弁体を開閉操作する開閉操作部が設けられている止水筒と、
前記縦管内に収納されて前記止水筒の外周面に沿って上下にスライド可能に形成されているとともに、上部に設けられたスライド操作部を操作することにより前記止水筒に対するスライド位置に応じて異なる高さ位置の前記排水孔を開放する水位調整スライド体とを備えており、
前記Ｔ字管の前記縦管には、前記止水筒の前記開閉操作部および前記水位調整スライド体の前記スライド操作部がすべて収納されているとともに、前記縦管の上部には、前記開閉操作部および前記スライド操作部を操作するために開口可能な開閉蓋が設けられているとともに、
前記横管の下面には、平面視で前記縦管の下流側の内周面に沿って半円弧状に形成された弁座溝が開口されているとともに、前記止水筒の下端部の前記弁体が、前記縦管の内径と同一外径を有する円筒形状に形成され、かつその下端部が前記弁座溝に沿って嵌入可能な傾斜開口面を有してなる、収納式水位調整型水閘。
【請求項３】
前記縦管の内周面には、前記縦管の上下方向に沿ってスライド用案内溝が形成されているとともに、前記弁体の外周面には、前記スライド用案内溝に嵌め入れて上下方向にスライド可能となるスライド用突起部が形成されている、請求項２に記載の収納式水位調整型水閘。
【発明の詳細な説明】
【技術分野】
【０００１】
本発明は、水田の田面水位や圃場における地下水位（以下、総称して「水位」という）を調整可能な収納式水位調整型水閘に関するものである。
【背景技術】
【０００２】
従来、水田や圃場の地下には、暗渠排水管が埋設されており、水田や圃場の余剰水を排出することで冷害や湿害を軽減するようになっている。また、近年では、作物の生育状況を改善するため、いわゆる水閘を用いることにより、天候や季節に応じて暗渠排水の排水量を制御し、水田や圃場における水位を調節することが行われている。
【０００３】
上記のような水閘として、本願出願人が出願を行った特開２０１２−１３２２５２号公報には、複数の排水孔が形成された止水筒の外周面に対して、摺動回転可能な略円筒状に形成されているとともに、止水筒に対する回転位置に応じて異なる高さ位置の排水孔を開放する開放スリットを有する回転筒を備えた水位調整型水閘が開示されている（特許文献１）。この水閘では、回転筒を回転させて開放スリットを所望の回転位置に合わせるための回転ハンドルが回転筒の上端部に設けられており、この回転ハンドルを回転させることにより、適正に水位調整を行うことができる。
【先行技術文献】
【特許文献】
【０００４】
【特許文献１】特開２０１２−１３２２５２号公報
【発明の概要】
【発明が解決しようとする課題】
【０００５】
しかし、上記特許文献１に記載された発明では、水位調整の際に開放スリットに大きな水圧がかかるため、前記回転ハンドルを回転させるには水圧に対抗する程度の強い腕力が必要であり、高齢者や女性等の作業者にとって簡単な作業とはいえなかった。
【０００６】
一方、従来の一般的な水閘においては、止水筒の開閉操作部が塩化ビニル等の素材によって形成されており、Ｔ字管の外部に露出して配置されるため、風雨や雪、紫外線に晒されることから経年変化によって劣化し易い環境にある。したがって、耐候性の高い素材に変更して耐久性を向上させたいというニーズがある一方、安価な塩化ビニル等の素材を使用したいというニーズもある。
【０００７】
さらに、従来の水閘は、Ｔ字管の上部が畦から突出しているため、歩行の邪魔になったり、草刈り作業等の邪魔になる場合があった。
【０００８】
本発明は、このようなニーズを解決するためになされたものであって、簡単に水位の調整作業を行えるとともに、耐久性を高め、かつ他の作業の邪魔にならないように畦の下に完全に埋設して利便性を向上させる収納式水位調整型水閘を提供することを目的としている。
【課題を解決するための手段】
【０００９】
本発明に係る収納式水位調整型水閘は、暗渠排水管に接続される横管とこの横管から上方向に立ち上げられる縦管とを連通させてなるＴ字管と、前記縦管内に収納される大きさの略円筒状に形成されているとともに、軸線方向に沿って異なる高さ位置に複数の排水孔が形成されており、その下端部に前記横管内の排水を遮断する弁体が設けられているとともにその上部に前記弁体を開閉操作する開閉操作部が設けられている止水筒と、前記縦管内に収納されて前記止水筒の外周面に沿って上下にスライド可能に形成されているとともに、上部に設けられたスライド操作部を操作することにより前記止水筒に対するスライド位置に応じて異なる高さ位置の前記排水孔を開放する水位調整スライド体とを備えており、前記Ｔ字管の前記縦管には、前記止水筒の前記開閉操作部および前記水位調整スライド体の前記スライド操作部がすべて収納されているとともに、前記縦管の上部には、前記開閉操作部および前記スライド操作部を操作するために開口可能な開閉蓋が設けられている。
【００１０】
また、本発明の一態様として、前記Ｔ字管の横管内には、略円筒状に形成された弁座が嵌入されているとともに、前記止水筒の前記弁体が前記弁座の端面に沿って上下方向にスライド可能に設けられており、前記止水筒は、前記開閉操作部の操作により最上位置まで上昇された場合、前記弁体の下端部が前記弁座の上端部から外れないように構成されていてもよい。
【００１１】
さらに、本発明の一態様として、前記横管の下面には、平面視で前記縦管の下流側の内周面に沿って半円弧状に形成された弁座溝が開口されているとともに、前記止水筒の下端部の前記弁体が、前記縦管の内径と同一外径を有する円筒形状に形成され、かつその下端部が前記弁座溝に沿って嵌入可能な傾斜開口面を有していてもよい。
【００１２】
さらにまた、本発明の一態様として、前記縦管の内周面には、前記縦管の上下方向に沿ってスライド用案内溝が形成されているとともに、前記弁体の外周面には、前記スライド用案内溝に嵌め入れて上下方向にスライド可能となるスライド用突起部が形成されていてもよい。
【発明の効果】
【００１３】
本発明によれば、簡単に水位の調整作業を行うことができるとともに、耐久性を高め、かつ他の作業の邪魔にならないように畦の下に完全に埋設して利便性を向上させることができる。
【図面の簡単な説明】
【００１４】
【図１】本発明に係る収納式水位調整型水閘の第一実施形態を示す縦断面図である。
【図２】本第一実施形態における内蓋を示す（ａ）平面図、および（ｂ）側面図である。
【図３】本第一実施形態における止水筒を示す（ａ）正面図、（ｂ）側面図、および（ｃ）３Ｃ−３Ｃ線断面図である。
【図４】本第一実施形態における水位調整スライド体を示す（ａ）全体図、および（ｂ）４Ｂ−４Ｂ線断面図である。
【図５】本第一実施形態の収納式水位調整型水閘の使用状態を示す図であって、（ａ）いずれの排水孔も開放されていない状態、および（ｂ）上から２つの排水孔を開放した状態を示す図である。
【図６】本発明に係る収納式水位調整型水閘の第二実施形態を示す縦断面図である。
【図７】本第二実施形態におけるＴ字管を示す横断面図である。
【図８】本第二実施形態におけるＴ字管を示す縦断面斜視図である。
【図９】本第二実施形態におけるＴ字管内の弁体を示す拡大断面図である。
【図１０】本第二実施形態の収納式水位調整型水閘の使用状態を示す図であって、弁体によって横管を遮断している状態を示す図である。
【図１１】本第二実施形態の収納式水位調整型水閘の使用状態を示す図であって、弁体を上昇させて横管を開口している状態を示す図である。
【発明を実施するための形態】
【００１５】
以下、本発明に係る収納式水位調整型水閘の一実施形態について図面を用いて説明する。本第一実施形態の収納式水位調整型水閘１Ａは、図１〜４に示すように、主として、略Ｔ字形状を逆さに配したＴ字管２と、このＴ字管２内を流れる排水を止水可能な止水筒３と、この止水筒３の外周面に対して上下にスライド可能な水位調整スライド体４とを有している。以下、各構成について詳細に説明する。
【００１６】
Ｔ字管２は、水田や圃場の地下に埋設された暗渠排水管２３に接続されるものであり、図１に示すように、略水平方向に配置される横管２１と、この横管２１の中央から上方向に立ち上げられる縦管２２とを有しており、逆さの略Ｔ字形状をなすように連通されている。本第一実施形態において、横管２１の上流側の一端（図１の右側）には暗渠側に通じる暗渠排水管２３が接続されており、下流側の他端（図１の左側）には排水路へ通じる排水管２４が接続されている。
【００１７】
Ｔ字管２の縦管２２内には、止水筒３および水位調整スライド体４が上端部まで完全に収納されており、その長手方向の途中位置には、土や異物の混入を防止する内蓋２５が設けられている。具体的には、図２に示すように、内蓋２５には、止水筒３の上端部に設けられている開閉操作部３４の軸部３５が挿通される軸挿通孔２５１が形成されており、また、水位調整スライド体４のスライド操作部４２が挿通される調整操作棒挿通孔２５２が形成されている。そして、内蓋２５の上方に突出されている前記開閉操作部３４および前記スライド操作部４２は、上下方向にスライド操作されるようになっている。
【００１８】
また、前記縦管２２の上端部には、開閉自在な開閉蓋２６が設けられている。この開閉蓋２６は、前記縦管２２内に収納されている止水筒３の開閉操作部３４や水位調整スライド体４のスライド操作部４２を紫外線や風雨、風雪などから保護しつつ、操作が必要な場合には開口して上方から操作できるようにするための蓋である。なお、開閉蓋２６は塩化ビニル等の合成樹脂によって形成されているが、使用される素材は特に限定されるものではなく、使用状況に応じて適宜選択してよい。
【００１９】
つぎに止水筒３について説明する。止水筒３は、Ｔ字管２を流れる排水を制御するバルブの役割を果たすものである。具体的には、止水筒３は、図３に示すように、縦管２２内に収納される大きさの略円筒状に形成されているとともに、軸線方向に沿って異なる高さ位置に複数の排水孔３１が開口されている。
【００２０】
また、止水筒３の下端部は、図１および図３に示すように、エルボ継手管３６が取り付けられて下流側に９０度屈曲されており、下流側に向けて円形状の開口部３２が開口されている。また、前記開口部３２の周縁には、横管２１内の排水を遮断するリング状の弁体３３Ａが設けられている。また、本第一実施形態では、図１に示すように、横管２１の内径と同一外径を有する略円筒状に形成された弁座２７が嵌入されている。
【００２１】
また、前記弁座２７の端面から前記弁体３３Ａの厚さ分だけ上流側の位置には、前記横管２１の内周面の下半分に沿って略半輪状に形成されたガイド部材２８が設けられている。このガイド部材２８は、前記弁座２７の端面との間において前記弁体３３Ａを案内して上下方向にスライドさせるように構成されている。
【００２２】
前記弁体３３Ａの下端部は、前記止水筒３を最下位置に下降させた状態において、前記弁座２７と前記ガイド部材２８との間に嵌め入れられ、前記弁座２７の端面に当接して水密状態を保持するようになっている。一方、前記止水筒３を最上位置まで上昇させた場合、前記弁体３３Ａの下端部は前記弁座２７の上端部から外れないように形成されている。これらの構成により、前記止水筒３は、上部を前記内蓋２５の軸挿通孔２５１によって保持されているとともに、下部を前記弁座２７に当接させて支持されているため、前記弁体３３Ａにかかる水圧に耐えうるようになっている。
【００２３】
また、止水筒３の上端部には、図１および図３に示すように、止水筒３を上下動させることにより弁体３３Ａを開閉するための開閉操作部３４が設けられている。この開閉操作部３４は、内蓋２５の軸挿通孔２５１に挿通されている。また、開閉操作部３４の軸部３５には、内蓋２５に固定するための固定部材２７が設けられており、前記開閉操作部３４の軸部３５を上昇位置で固定し、止水筒３の弁体３３Ａを開放状態で保持するようになっている。
【００２４】
つぎに水位調整スライド体４について説明する。水位調整スライド体４は、止水筒３から排水する際の排水高さを制御して水位を調整するものである。具体的には、水位調整スライド体４は、図１および図４に示すように、横断面形状が半円よりも大きな優弧状に形成されている長尺状のスライド部４１と、このスライド部４１を上下方向にスライド操作を行うためのスライド操作部４２とを有している。
【００２５】
前記スライド部４１は、縦管２２内に収容されている止水筒３の外周面を覆うようにして設けられ、その外周面に沿って上下にスライド可能に取り付けられている。また、スライド部４１は、図１および図４に示すように、止水筒３に開口されたすべての排水孔３１を覆うことができる長さであって、下方にスライドしてすべての排水孔３１が開放される長さに形成されている。したがって、水位調整スライド体４は、止水筒３に対する上下位置に応じて所望の高さの排水孔３１を開閉することができるようになっており、水位調整できる。
【００２６】
スライド操作部４２は、図１および図４に示すように、スライド部４１の外周側面に固定されており、前記内蓋２５の調整操作棒挿通孔２５２に挿通されている。この構成により、スライド操作部４２は前記内蓋２５よりも上方側に突出されており、前記内蓋２５の上方にて前記スライド部４１を上下にスライド操作するようになっている。
【００２７】
つぎに、本第一実施形態の収納式水位調整型水閘１Ａにおける各構成の作用について説明する。
【００２８】
本第一実施形態の収納式水位調整型水閘１Ａは、図５に示すように、Ｔ字管２の上端面までが畦Ａの下に隠れるように埋設されている。そして、水田の田面水位や圃場の地下水位を調整する場合、Ｔ字管２の上端部に設けられている開閉蓋２６を開けて、開閉操作部３４を上下に動かして止水筒３を上下にスライドさせて水位を調整する。例えば、止水筒３を下降させた場合、弁体３３Ａをガイド部材２８によって案内させつつ横管２１内の弁座２７に当接させる。これにより、弁体３３Ａが暗渠排水管２３からの排水を止水する。そして、図５（ａ）に示すように、水位調整スライド体４のスライド部４１がすべての排水孔３１を塞いでいる場合、堰き止められた排水は、縦管２２の空間内に流れ込み、大気圧によって水田や圃場の水位と同じ高さまで押し上げられる。
【００２９】
つぎに、スライド操作部４２を操作してスライド部４１を止水筒３に対して上下にスライドさせ、所望の高さ位置にある排水孔３１を開放する。例えば、図５（ｂ）に示すように、スライド操作部４２を操作してスライド部４１を下方へ押し下げて上から２つまでの排水孔３１を開放した場合、縦管２２の空間内に充填されていた排水が、止水筒３の内部へ越流し、止水筒３の開口部３２から吐出され、横管２１の下流側へと排水される。したがって、水田や圃場の水位は、開放された排水孔３１の高さに対応する位置まで下がる。
【００３０】
このように本第一実施形態では、単に水位調整スライド体４を上下にスライドさせるだけで水位調整できるため、水位の調節作業が簡単であり、腕力の弱い高齢者や女性等であっても速やかに水位調整することができる。したがって、１つの収納式水位調整型水閘１Ａで制御できる排水量が増大されて大きな減水深が確保されるため、水田や圃場の水位を気候や気温の変化等に応じて素早く調整できる結果、作物の収量や質を向上させることができる。また、排水量を増大させることで収納式水位調整型水閘１Ａの設置数を減らせるため、大規模な水田や圃場における管理作業が簡易化する。
【００３１】
また、本第一実施形態では、開閉操作部３４やスライド操作部４２が縦管２２内に納められており開閉蓋２６によって塞がれているため、紫外線や風雨、風雪に晒されずに経年変化や損傷を抑制することができ、耐候性および耐久性が向上する。また、Ｔ字管２が畦Ａに埋設されているため、畦Ａを歩行する際や畦Ａの草刈り作業等を行う際にも邪魔にならない。
【００３２】
一方、開閉操作部３４を上方に引き上げて止水筒３を上方に移動させた場合、弁体３３Ａは、弁座２７の端面に沿って上方にスライドする。このとき、弁体３３Ａは、弁座２７の端面とガイド部材２８との間において前記ガイド部材２８に案内されながら真っ直ぐ上昇される。よって、内蓋２５の軸挿通孔２５１や調整操作棒挿通孔２５２との間においても摩擦が小さく、スムーズに上下動させられる。
【００３３】
また、止水筒３を最上位置まで移動しても前記弁体３３Ａの下端部が前記弁座２７の上端部から外れないため、前記止水筒３は、上部が前記内蓋２５の軸挿通孔２５１によって支持されるとともに、下部が前記弁座２７によって支持される。よって、止水筒３は真っ直ぐな状態を保つことができるため、軸挿通孔２５１に荷重が集中することがなく、前記弁体３３Ａにかかる水圧にも耐えられるようになっている。
【００３４】
以上のような本第一実施形態によれば、以下のような効果を奏する。
１．腕力の弱い高齢者や女性等であっても水田や圃場の水位を迅速かつ簡単に調節することができる。
２．開閉操作部３４等の主要な構造が縦管２２内に収納されているため紫外線や風雨、風雪から保護し、耐候性、耐久性を向上させることができる。
３．Ｔ字管２の上端面まで畦Ａに埋設されているため、歩行や草刈り作業等の邪魔にならず、利便性を向上することができる。
【００３５】
つぎに、本発明に係る収納式水位調整型水閘の第二実施形態について図６〜図１１を用いて説明する。なお、本第二実施形態の収納式水位調整型水閘１Ｂのうち、上述した第一実施形態の構成と同等または相当する構成については、再度の説明を省略する。
【００３６】
本第二実施形態の収納式水位調整型水閘１Ｂの主な特徴は、第一実施形態の構成のうち、弁座２７を横管２１の下面の弁座溝２９と縦管２２の内周面とで構成したことにより、弁体３３Ｂを引き上げた際の横管２１の開口面積を広くした点にある。以下、本特徴に基づく構成について説明する。
【００３７】
本第二実施形態における弁座２７は、縦管２２の内周面と前記横管２１の下面に形成された弁座溝２９とから構成される。
【００３８】
弁座溝２９は、図６に示すように、横管２１の下面に設けられた凹状の溝であり、図７に示すように、平面視で横管２１の下流側（図６の左側）の内周面に沿って半円弧状に開口されている。これにより、前記弁座溝２９は、図８に示すように、側面視において斜めに傾斜した状態となる。本第二実施形態における弁座溝２９は、工作機械等により横管２１の下面を貫通するように半円弧状に穿孔し、形成された半円弧状の孔の外側を板材５によって覆うことで形成されている。
【００３９】
また、縦管２２の内周面には、弁体３３Ｂが前記縦管２２に沿って上下方向のスライドを案内するスライド用案内溝３０が形成されている。本第二実施形態におけるスライド用案内溝３０は、図７に示すように、断面が一対の半円凹状の溝から構成されている。
【００４０】
本第二実施形態における弁体３３Ｂは、図９に示すように、エルボ継手管３６の開口部３２に取り付けられている。当該弁体３３Ｂは、縦管２２と水密状態を確保するため前記縦管２２の内径と同一外径の円筒形状に形成されている。また、弁体３３Ｂの下端部は、前記弁座溝２９に沿って嵌入可能な傾斜開口面３８を有しており、この傾斜開口面３８が前記弁座溝２９に嵌め入れられることにより上流側からの排水を止水するとともに、止水した水を縦管２２の空間内へ流れ込ませることができるようになっている。
【００４１】
また、弁体３３Ｂの外周面には、弁体３３Ｂの上下方向へのスライド操作のときに周方向へ回転して位置がずれるのを防止するために、縦管２２の内周面に設けられたスライド用案内溝３０に嵌め入れられるスライド用突起３７が設けられている。本第二実施形態におけるスライド用突起３７は、スライド用案内溝３０に嵌め入れられた際の水密状態を確保するため、前記スライド用案内溝３０と合致する半円凸状に形成されている。
【００４２】
つぎに、本第二実施形態の収納式水位調整型水閘１Ｂにおける各構成の作用について説明する。
【００４３】
図１０に示すように、止水筒３を最下位置に下降させた場合、弁体３３Ｂは、弁座溝２９と縦管２２の内周面と同径に形成されているため、弁座溝２９および縦管２２と水密状態となる。よって、弁体３３Ｂは横管２１の排水の流れを遮断する。このとき、本第二実施形態では、横管２１の下面の弁座溝２９と縦管２２の内周面が弁座２７となる。
【００４４】
また、傾斜開口面３８は、斜め状に形成されていることから、上流側が開口されている。よって、弁体３３Ｂによって遮断した排水は、弁体３３Ｂ内を通り縦管２２へと流れ込む。そして、スライド操作部４２を操作して所望の高さ位置にある排水孔３１を開放することで、適宜、前記排水孔３１から開口部３２を介して下流側の排水管２４へと排水される。よって、縦管２２内の水位が調節されるとともに、水田や圃場の水位が調節される。
【００４５】
また、弁体３３Ｂは、外周面に設けられたスライド用突起３７によって縦管２２の内周面に設けられたスライド用案内溝３０に沿って真っ直ぐ上下方向にスライドする。そのため、弁体３３Ｂは、止水筒３の上部の開閉操作部３４によって開閉操作しても
周方向へ回転して位置がずれることなく上下方向にスライドし、傾斜開口面３８を弁座溝２９に確実に嵌め入れることができる。
【００４６】
また、弁体３３Ｂと弁座溝２９および縦管２２面とが常に面で接触しており、止水筒３が受ける水圧は接触面にて支持される。よって、水圧による力が前記接触面や軸挿通孔２５１に分散し、弁体３３Ｂおよび止水筒３の破損を防止する。
【００４７】
つぎに、図１１に示すように、止水筒３を最上位置に上昇させた場合、横管２１は内径全体が開口された状態となる。そのため、前記開口面積は、第一実施形態のように、横管２１に嵌入される略円筒状の弁座２７を用いた場合よりも大きくなり、横管２１からの排水がより速やかに行われる。
【００４８】
以上のような本第二実施形態によれば、第一実施形態と同様の効果を得ることができるとともに、縦管２２の内周面および弁座溝２９を弁座２７とし利用することができる。また、弁体３３Ｂと縦管２２の内周面および弁座溝２９とを面接触させることで、弁体３３Ｂおよび止水筒３の水圧に対する耐力を向上させることができる。さらに、止水筒３を上昇させた場合の排水をスムーズにすることで、水田や圃場の水位を素早く下げることができる。
【００４９】
なお、本発明に係る収納式水位調整型水閘は、前述した各実施形態に限定されるものではなく、適宜変更することができる。
【００５０】
例えば、図示しないが、横管２１の上流側等に、縦管２２と略平行に立ち上げられたフロート管を連通させ、このフロート管内に、浮遊性を有するフロートが配置されてなる水位計測手段を設けてもよい。この水位計測手段を設けることにより、水田や圃場の水位までフロート管の内部に流れ込んだ排水によって、フロートが縦管２２内の水位に応じて上下動するため、水位を計測することができ、より正確に水位調整することができる。
【００５１】
また、図示しないが、収納式水位調整型水閘１に、縦管２２内の水位を測定する水位測定手段、所定の作物に適した水位データを記憶する記憶手段、止水筒３に対して水位調整スライド体４を上下駆動する上下駆動手段、各構成手段を制御する制御手段等の水位調整作業を自動化できる構成を追加してもよい。
【符号の説明】
【００５２】
１Ａ，１Ｂ  収納式水位調整型水閘
２  Ｔ字管
３  止水筒
４  水位調整スライド体
５  板材
２１  横管
２２  縦管
２３  暗渠排水管
２４  排水管
２５  内蓋
２６  開閉蓋
２７  弁座
２８  ガイド部材
２９  弁座溝
３０  スライド用案内溝
３１  排水孔
３２  開口部
３３Ａ，３３Ｂ  弁体
３４  開閉操作部
３５  軸部
３６  エルボ継手管
３７  スライド用突起
３８  傾斜開口面
４１  スライド部
４２  スライド操作部
２５１  軸挿通孔
２５２  調整操作棒挿通孔
Ａ  畦
【図１】
0006645811.tif 000002
【図２】
0006645811.tif 000003
【図３】
0006645811.tif 000004
【図４】
0006645811.tif 000005
【図５】
0006645811.tif 000006
【図６】
0006645811.tif 000007
【図７】
0006645811.tif 000008
【図８】
0006645811.tif 000009
【図９】
0006645811.tif 000010
【図１０】
0006645811.tif 000011
【図１１】
0006645811.tif 000012